【手続補正書】
【提出日】平成17年10月7日(2005.10.7)
【手続補正１】
【補正対象書類名】明細書
【補正対象項目名】発明の名称
【補正方法】変更
【補正の内容】
【発明の名称】情報検索装置
【手続補正２】
【補正対象書類名】明細書
【補正対象項目名】特許請求の範囲
【補正方法】変更
【補正の内容】
【特許請求の範囲】
【請求項１】  記録媒体に記録された目標登録地データに基づいて、地図上の地点を検索するための情報検索装置において、それぞれ都市コードが付された都市名称のデータから成る都市名称ファイルを備え、該都市名称ファイルと対応させて目標登録地データが記録された記録媒体と、都市名称が選択されるのに伴って、都市名称ファイルに基づいて、都市コードに対する目標登録地データを検索して出力する検索処理手段とを有するとともに、前記記録媒体に、前記都市コードに対する都市名称の検索項目が、上位階層の都市名称と下位階層の都市名称とを同一階層にして、フラットな構造で記録されることを特徴とする情報検索装置。
【請求項２】  前記記録媒体において、前記上位階層の都市名称と下位階層の都市名称とがあらかじめ組み合わせられ、各組合せと対応させて前記都市コードが付される請求項１に記載の情報検索装置。
【請求項３】  前記記録媒体に記録された目標登録地データにおいて、上位階層の目標登録地に付される都市コードは、下位階層の目標登録地にも付される請求項２に記載の情報検索装置。
【請求項４】  前記記録媒体に記録された目標登録地データにおいて、各都市コードが、階層化された各目標登録地に付される請求項２に記載の情報検索装置。
【請求項５】  前記記録媒体は、前記都市コードのファイルから成る都市コードファイルを備えるとともに、該都市コードファイル及び目標登録地データにおいて、各都市コードは、上位の階層に対応する階層コード部、及び下位の階層に対応する階層コード部から成る請求項１に記載の情報検索装置。
【手続補正３】
【補正対象書類名】明細書
【補正対象項目名】０００１
【補正方法】変更
【補正の内容】
【０００１】
【発明の属する技術分野】
本発明は、情報検索装置に関するものである。
【手続補正４】
【補正対象書類名】明細書
【補正対象項目名】００１３
【補正方法】変更
【補正の内容】
【００１３】
本発明は、前記従来の登録地検索データの問題点を解決して、都市名称を円滑に選択することができる情報検索装置を提供することを目的とする。
【手続補正５】
【補正対象書類名】明細書
【補正対象項目名】００１４
【補正方法】変更
【補正の内容】
【００１４】
【課題を解決するための手段】
そのために、本発明の情報検索装置においては、記録媒体に記録された目標登録地データに基づいて、地図上の地点を検索するようになっている。
そして、それぞれ都市コードが付された都市名称のデータから成る都市名称ファイルを備え、該都市名称ファイルと対応させて目標登録地データが記録された記録媒体と、都市名称が選択されるのに伴って、都市名称ファイルに基づいて、都市コードに対する目標登録地データを検索して出力する検索処理手段とを有する。
【手続補正６】
【補正対象書類名】明細書
【補正対象項目名】００１５
【補正方法】変更
【補正の内容】
【００１５】
また、前記記録媒体に、前記都市コードに対する都市名称の検索項目が、上位階層の都市名称と下位階層の都市名称とを同一階層にして、フラットな構造で記録される。
【手続補正７】
【補正対象書類名】明細書
【補正対象項目名】００１６
【補正方法】変更
【補正の内容】
【００１６】
本発明の他の情報検索装置においては、さらに、前記記録媒体において、前記上位階層の都市名称と下位階層の都市名称とがあらかじめ組み合わせられ、各組合せと対応させて前記都市コードが付される。
【手続補正８】
【補正対象書類名】明細書
【補正対象項目名】００１７
【補正方法】変更
【補正の内容】
【００１７】
本発明更に他の情報検索装置においては、さらに、前記記録媒体に記録された目標登録地データにおいて、上位階層の目標登録地に付される都市コードは、下位階層の目標登録地にも付される。
【手続補正９】
【補正対象書類名】明細書
【補正対象項目名】００１８
【補正方法】変更
【補正の内容】
【００１８】
本発明の更に他の情報検索装置においては、さらに、前記記録媒体に記録された目標登録地データにおいて、各都市コードが、階層化された各目標登録地に付される。
【手続補正１０】
【補正対象書類名】明細書
【補正対象項目名】００１９
【補正方法】変更
【補正の内容】
【００１９】
本発明の更に他の情報検索装置においては、さらに、前記記録媒体は、前記都市コードのファイルから成る都市コードファイルを備えるとともに、該都市コードファイル及び目標登録地データにおいて、各都市コードは、上位の階層に対応する階層コード部、及び下位の階層に対応する階層コード部から成る。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】０２１３
【補正方法】変更
【補正の内容】
【０２１３】
【発明の効果】
以上詳細に説明したように、本発明によれば、情報検索装置においては、記録媒体に記録された目標登録地データに基づいて、地図上の地点を検索するようになっている。
そして、それぞれ都市コードが付された都市名称のデータから成る都市名称ファイルを備え、該都市名称ファイルと対応させて目標登録地データが記録された記録媒体と、都市名称が選択されるのに伴って、都市名称ファイルに基づいて、都市コードに対する目標登録地データを検索して出力する検索処理手段とを有する。
【手続補正１５】
【補正対象書類名】明細書
【補正対象項目名】０２１４
【補正方法】変更
【補正の内容】
【０２１４】
また、前記記録媒体に、前記都市コードに対する都市名称の検索項目が、上位階層の都市名称と下位階層の都市名称とを同一階層にして、フラットな構造で記録される。
【手続補正１６】
【補正対象書類名】明細書
【補正対象項目名】０２１５
【補正方法】変更
【補正の内容】
【０２１５】
この場合、都市コードに対する都市名称の検索項目は、階層化されることなく、フラットな構造を有するので、表示画面において上位階層の都市名称だけでなく、下位階層の都市名称が表示される。したがって、運転者に各地域の名称がどの階層に属するかの知識がなくても、都市名称を円滑に選択することができる。
【手続補正１７】
【補正対象書類名】明細書
【補正対象項目名】０２１７
【補正方法】削除
【補正の内容】
【手続補正１８】
【補正対象書類名】明細書
【補正対象項目名】０２１８
【補正方法】削除
【補正の内容】
【手続補正１９】
【補正対象書類名】明細書
【補正対象項目名】０２１９
【補正方法】削除
【補正の内容】
【手続補正２０】
【補正対象書類名】明細書
【補正対象項目名】０２２０
【補正方法】削除
【補正の内容】
【手続補正２１】
【補正対象書類名】明細書
【補正対象項目名】０２２１
【補正方法】削除
【補正の内容】
【手続補正２２】
【補正対象書類名】明細書
【補正対象項目名】０２２２
【補正方法】削除
【補正の内容】
【手続補正２３】
【補正対象書類名】明細書
【補正対象項目名】０２２３
【補正方法】削除
【補正の内容】
【手続補正２４】
【補正対象書類名】明細書
【補正対象項目名】０２２４
【補正方法】削除
【補正の内容】
【手続補正２５】
【補正対象書類名】明細書
【補正対象項目名】０２２５
【補正方法】削除
【補正の内容】
【手続補正２６】
【補正対象書類名】明細書
【補正対象項目名】０２２６
【補正方法】削除
【補正の内容】